(57)【要約】【課題】  就職面接等の順番待ちの番号を表示するために好適な番号表示装置を提供する。【解決手段】  番号表示部を具備する番号表示板と、番号表示板に接続コードで接続され、番号の前進及び後退スイッチを具備した本体部からなる番号表示装置であり、本体部に番号表示部に表示された番号と同じ番号を表示し得る補助番号表示部と、経過時間を表示し得る経過時間表示部とからなる補助表示部を設け、前進又は後退スイッチの操作に基づいて補助表示部と番号表示部への表示制御を行う制御部を設け、制御部は前進又は後退スイッチの操作に基づいて番号表示部に表示される番号のインクリメント等を行って番号の更新を行うと共に、補助番号表示部にも番号表示部に表示された番号と同じ番号を表示させ、前進又は後退スイッチの操作により経過時間表示部の表示時間をリセットして番号更新後の経過時間を表示する。【選択図】  図１
2006195828.tif 000002
【特許請求の範囲】
【請求項１】
少なくとも一面側に番号表示部を具備する番号表示板と、該番号表示板に接続コードで電気的に接続され、番号の前進及び後退スイッチを具備した本体部からなる番号表示装置であって、
上記本体部に、上記番号表示部に表示された番号と同じ番号を表示し得る補助番号表示部と、経過時間を表示し得る経過時間表示部とからなる補助表示部を設けると共に、
上記前進又は後退スイッチの操作に基づいて上記補助表示部と上記番号表示部への表示制御を行う制御部を設け、
該制御部は、
上記前進又は後退スイッチの操作に基づいて上記番号表示部に表示される番号のインクリメント又はデクリメントを行って番号の更新を行うと共に、上記補助番号表示部にも上記番号表示部に表示された番号と同じ番号を表示させるものであり、
かつ上記前進又は後退スイッチの操作に基づいて上記経過時間表示部の表示時間をリセットして該経過時間表示部に番号更新後の経過時間を表示するものであることを特徴とする番号表示装置。
【請求項２】
上記番号表示板を上記本体部上面に起立状態で立設支持し得る係合手段を、上記本体部と上記番号表示板に設けると共に、上記番号表示板を上記本体部から切り離し可能に構成し、
かつ上記本体部から切り離した上記番号表示板をパネル体に掛止し得る係合フックを上記番号表示板に設けたものであることを特徴とする請求項１記載の番号表示装置。
【請求項３】
上記番号表示板の一面を上記本体部上面に合わせた状態で当該番号表示板を上記本体部に保持し得る係合手段を設けたものであること特徴とする請求項１又は２記載の番号表示装置。
【請求項４】
上記本体部にバッテリーを設けて、該バッテリーから本体部内各部に電源を供給すると共に、当該バッテリーの電源を上記接続コードを介して上記番号表示板の番号表示部を含む各部に供給するように構成したものであることを特徴とする請求項１乃至３の何れかに記載の番号表示装置。
【請求項５】
上記番号表示板は、上記本体部から指示される番号を番号表示部に表示する表示制御回路と、不揮発性メモリとを備え、
該表示制御回路は上記番号表示部に表示している番号を上記不揮発性メモリに記憶するものであり、
かつ上記表示制御回路は、給電停止後の復旧時において、上記不揮発性メモリから給電停止時に記憶されていた番号を読み出して当該番号を番号表示部に表示させると共に、当該番号を本体部の制御部に通知するものであることを特徴とする請求項１〜４の何れかに記載の番号表示装置。
【発明の詳細な説明】
【技術分野】
【０００１】
本発明は例えば面接会場等において面接待機者等に対して順番を表示するために用いて好適な番号表示装置に関するものである。
【背景技術】
【０００２】
従来、例えば病院の待合室等において使用される順番待ちの番号表示装置が各種提案されている。
【０００３】
例えば、特許文献１のものは、端末装置のテンキーで入力した数字が表示器に表示されるシステムであり、その表示器を待合室にあるテレビの近傍位置に設置したものである。
【０００４】
また、特許文献２のものは、ディスプレイ装置とコントロールボードとから構成され、コントロールボードのテンキーによって登録番号を入力すると、制御回路内において予め記憶されている当該登録番号に対応する情報、例えば「診察中・次の方は２４番です」等の情報をディスプレイ装置に表示するものである。
【０００５】
【特許文献１】実開平１−１７６８８６
【特許文献２】実開昭６２−７１６８０
【発明の開示】
【発明が解決しようとする課題】
【０００６】
ところで、上記特許文献１のものは、端末装置のテンキーで入力した数字が表示器に表示される機能を有するのみであるから、端末装置側で時間経過等が把握できず、また、端末機側の信号を無線送信機で表示器側に送信する構成であるため、表示器側に無線用の受信機、及びデコーダ等が必要となり、装置構成が複雑化するし、病院等においては使用可能な電波は制限されるため、使用に際して電波を自由に使用できる場所に設置場所が限定されるという課題がある。
【０００７】
また、特許文献２のものは、制御回路内において予め記憶されている情報に対応する登録番号を指定する必要があるため、登録されている情報とその登録番号を把握していなければ表示すべき情報が不明となるという問題がある。
【０００８】
本発明は、上記従来の課題に鑑みてなされたものであり、例えば就職面接会場等において求職者に対して順番待ちの番号を表示するのに最適な番号表示装置を提供することを目的とする。
【課題を解決するための手段】
【０００９】
上記の目的を達成するため本発明は、
第１に、少なくとも一面側に番号表示部を具備する番号表示板と、該番号表示板に接続コードで電気的に接続され、番号の前進及び後退スイッチを具備した本体部からなる番号表示装置であって、上記本体部に、上記番号表示部に表示された番号と同じ番号を表示し得る補助番号表示部と、経過時間を表示し得る経過時間表示部とからなる補助表示部を設けると共に、上記前進又は後退スイッチの操作に基づいて上記補助表示部と上記番号表示部への表示制御を行う制御部を設け、該制御部は、上記前進又は後退スイッチの操作に基づいて上記番号表示部に表示される番号のインクリメント又はデクリメントを行って番号の更新を行うと共に、上記補助番号表示部にも上記番号表示部に表示された番号と同じ番号を表示させるものであり、かつ上記前進又は後退スイッチの操作に基づいて上記経過時間表示部の表示時間をリセットして該経過時間表示部に番号更新後の経過時間を表示するものであることを特徴とする番号表示装置により構成されるものである。
【００１０】
従って、例えば就職面接等において、面接者（操作者）は手元の前進スイッチ又は後退スイッチを操作すると番号表示部及び補助番号表示部に表示される番号が例えば「０２」から「０３」にインクリメントされる等の番号の更新が行われる。また、制御部は番号が更新されると経過時間表示部の表示のリセットを行い、かつ番号が更新されてからの経過時間を表示する。よって、番号表示板により求職者には順番を表示し得るし、面接者は手元の補助表示部にて番号表示板に表示されている番号と、番号が更新されてからの経過時間を確認することができる。
【００１１】
第２に、上記番号表示板を上記本体部上面に起立状態で立設支持し得る係合手段を、上記本体部と上記番号表示板に設けると共に、上記番号表示板を上記本体部から切り離し可能に構成し、かつ上記本体部から切り離した上記番号表示板をパネル体に掛止し得る係合フックを上記番号表示板に設けたものであることを特徴とする上記第１記載の番号表示装置により構成されるものである。
【００１２】
従って、通常は番号表示板を本体部に起立状態で立設支持することにより、求職者に対して順番を表示することができるし、広い会場等の場合は番号表示板を本体部から切り離しパーテーション等の高い位置に掛止して使用することができる。ここで上記係合手段としては、例えば本体側の係合用突起（２ａ）及び番号表示板の係合孔（１１ｂ）等により構成することができる。また上記係合フックはパネル係合用フック（１２）等により構成することができる。
【００１３】
第３に、上記番号表示板の一面を上記本体部上面に合わせた状態で当該番号表示板を上記本体部に保持し得る係合手段を設けたものであること特徴とする上記第１又は２記載の番号表示装置により構成されるものである。
【００１４】
従って、番号表示板の一面を本体部上面に合わせて収納することで、全体をコンパクトに収納し得て、持ち運びにも便利な番号表示装置を提供し得る。ここで、上記係合手段は例えば本体側の係合用突起（２ａ）及び番号表示板の係合孔（１１ａ）等により構成することができる。
【００１５】
第４に、上記本体部にバッテリーを設けて、該バッテリーから本体部内各部に電源を供給すると共に、当該バッテリーの電源を上記接続コードを介して上記番号表示板の番号表示部を含む各部に供給するように構成したものであることを特徴とする第１乃至３の何れかに記載の番号表示装置により構成されるものである。
【００１６】
従って、本体部及び番号表示板共に本体部のバッテリーで駆動することができ、設置場所の自由度を高めることができる。
【００１７】
第５に、上記番号表示板は、上記本体部から指示される番号を番号表示部に表示する表示制御回路と、不揮発性メモリとを備え、該表示制御回路は上記番号表示部に表示している番号を上記不揮発性メモリに記憶するものであり、かつ上記表示制御回路は、給電停止後の復旧時において、上記不揮発性メモリから給電停止時に記憶されていた番号を読み出して当該番号を番号表示部に表示させると共に、当該番号を本体部の制御部に通知するものであることを特徴とする上記第１〜４の何れかに記載の番号表示装置により構成されるものである。
【００１８】
従って、接続コードの外れ等により番号表示板への給電が停止したとしても、復旧後には不揮発性メモリに記憶していた給電停止時の番号を番号表示部に表示し得る。また、同時に本体部へも当該番号の通知が行われるので、本体部においても当該番号を補助番号表示部に表示することができ、復旧後も何等支障なく面接等を継続することができる。
【発明の効果】
【００１９】
本発明の番号表示装置によると、操作者の手元の補助番号表示部に、番号表示板に表示される番号と同一の番号が表示されると共に、番号が更新される度に更新後の経過時間が表示されるため、例えば面接等に使用して極めて操作性の良い番号表示装置を実現し得るものである。
【００２０】
また、番号表示板を本体部から切り離して各種場所に設置し得るし、バッテリー駆動であるため設置の自由度が大きいという効果がある。
【００２１】
さらに、何らかの原因により給電が停止しても、給電停止前の状態に容易に復旧し得るという効果がある。
【発明を実施するための最良の形態】
【００２２】
図１及び図２は本発明に係る番号表示装置１の第１実施形態を示すものであり、当該装置はバッテリー２１、制御部（ＣＰＵ）２３等を収容する直方体形状の本体部２と、該本体部２上面に着脱自在に設けられた板状の番号表示板３とから構成されている。
【００２３】
上記本体部２の上面には補助表示部４と、番号の前進スイッチ５ａ及び番号の後退スイッチ５ｂが設けられており、前進スイッチ５ａを１回押すと上記番号表示板３に表示されている数字がインクリメント（＋１）され、後退スイッチ５ｂを１回押すと上記番号表示板３に表示されている数字がデクリメント（−１）されるように構成されている。
【００２４】
上記補助表示部４には、図６に示すように、現在、番号表示板３に表示されている数字と同じ数字を表示する補助番号表示部４ａと、上記番号表示板３に表示されている番号が更新されてからの経過時間を表示する経過時間表示部４ｂとが構成されている。上記補助番号表示部４ａ及び経過時間表示部４ｂは、何れも７セグメントＬＥＤ或は７セグメントＬＣＤを用いることができる。
【００２５】
上記本体部２において、２ａ，２ａは、上記番号表示板３の逆Ｌ字状の係合用突起であり、上記本体部２上面の一側縁に沿う両端部に一対に設けられ、上記番号表示板３の収納時と起立時の各々において該表示板３に係合して該表示板３を収納状態又は起立状態に保持するものである。
【００２６】
６はリモコンスイッチであり、上記前進スイッチ５ａ及び後退スイッチ５ｂと同様の機能を有する前進スイッチ６ａ、後退スイッチ６ｂを有しており、操作者が上記本体部２から離れた位置にいる場合の操作に用いられるものである。このリモコンスイッチ６はコネクターＣ１によって本体部２のコネクターＣ１’に接続される。尚、当該リモコンスイッチ６に上記表示部４と同様の情報を表示し得る補助表示部を設けても良い。
【００２７】
７はＡＣアダプターであり、通常は本体部２に内蔵するバッテリー２１を充電するために用いられるものであり、コネクターＣ２によって本体部２のコネクターＣ２’に接続される。
【００２８】
８は上記本体部２上面に設けられた収納凹部であり、未使用時の上記リモコン６、ＡＣアダプター７、接続コード９等を収納するものである。
【００２９】
上記番号表示板３は、上記本体部２と接続ケーブル９で接続されている。尚、該接続ケーブル９はその両端のコネクターＣ３、Ｃ３によって各々上記表示板３及び本体部２に接続される。上記番号表示板３は、その表面３ａに７セグメントＬＥＤ又は７セグメントＬＣＤによる２桁の番号表示部１０を有している。この表示部１０の数字の高さｄは比較的遠い位置から数字を視認できるように７０ｍｍ以上とすることが好ましい。
【００３０】
１１，１１は上記番号表示板３の前面３ａ下方両側に一対に設けられた係合孔であり、何れも表示板３ａ前面３ａ側から底面３ｃ側に向けて貫通形成されている（図３参照）。この係合孔１１，１１は、図３に示すように、前面３ａ側に開口する収納用係合孔１１ａと、底面３ｃ側に開口する収納用係合孔１１ｂとから構成されており、何れも上記係合用突起２ａ，２ａが係合し得る断面Ｌ字形状をなしている。
【００３１】
これにより、番号表示板３の収納時は、上記前面３ａを上記本体部２上面に宛がい、上記係合用突起２ａ，２ａを上記収納用係合孔１１ａ，１１ａ内に係合し（図３参照）、図３二点鎖線に示すように該番号表示板を本体部２と一体的に収納する。また、番号表示板３の起立時（使用時）は上記番号表示板３の底面３ｃを上記本体部２上面に宛がい（図４参照）、上記係合用突起２ａ，２ａを上記起立用係合孔１１ｂ，１１ｂ内に係合することにより、上記本体部２上に上記番号表示板３を起立した状態で使用し得るように構成されている（図５参照）。尚、上記係合孔１１ａ又は１１ｂと上記係合突起２ａ，２ａとの接続固定は、図１１（ａ）に示すように係合突起２ａ，２ａを係合孔１１ｂに挿入後に表示板３を矢印方向にスライドさせることにより確実に行うことができる。
【００３２】
図７において、１２，１２はパネル係合用フックであり、Ｌ字形状に折曲した金属片からなるものである。この係合用フック１２，１２は上記番号表示部３の裏面３ｂ側の上側２箇所に設けられた係合孔３ｄ，３ｄ（図１参照）に該フック１２，１２の先端部を挿入係止した状態で、図７に示すように、当該番号表示部３を上記パネル係合用フック１２，１２によってパーテーション等のパネル体Ｐに掛止し得るように構成されている。このようにすることで、例えば面接会場において求職者に見やすい高い位置に番号表示板３を設置することができる。尚、上記フック１２，１２と上記係合孔３ｄ，３ｄとの接続固定は、図１１（ｂ）に示すようにフック１２，１２の先端部１２ａ，１２ａをＬ型に折り曲げ、上記係合用フック３ｄ，３ｄ内にこれに係合し得る凹部３ｄ’を設け、上記先端部１２ａ，１２ａを上記係合孔３ｄ，３ｄ内に挿入して上記先端部１２ａと上記凹部３ｄ’を係合することにより確実に行うことができる。
【００３３】
図８乃至図１０に示すものは、本発明の第２実施形態を示すものであり、上記第１実施形態と同一部分には同一符号を付して便宜上その説明を省略する。同図において、番号表示板３は、上記本体部２の軸係合部２ｂ，２ｂに回動軸１５，１５を挿入することで、当該回動軸１５，１５を支軸として矢印Ａ、Ｂ方向に開閉自在に設けられている。
【００３４】
かかる第２実施形態においては、上記番号表示板３の閉鎖時において、その表示部１０が上面側となるように構成されており（図９）、上記番号表示板３を上記回動軸１５、１５を支軸として回動起立させることにより、容易に表示状態とすることができる（図１０）。尚、かかる第２の実施形態においても、番号表示板３と本体部２とを着脱可能として図７に示すように番号表示板３をパネル体Ｐに掛止可能とすることができる。
【００３５】
次に、本発明の電気的構成を図１２に基づいて説明する。同図において、２０は本体部２の充電回路であり、上記ＡＣアダプター７から入力するＡＣ電源を直流に変換してバッテリー２１に供給するものである。２２は電源回路であり、上記バッテリー２１に充電された電力に基づいて本体部２内の各部に電源を供給すると共に、当該本体部２にケーブル９で接続される番号表示板３にも電源を供給するものである。
【００３６】
２３はＣＰＵを含む制御部であり、図１３、図１４に示す動作手順に基づいて表示部１０への番号の表示指令等の各種動作を行うものである。かかる制御部２３は、予め設定された初期値（数字２桁からなる例えば「００」）を表示するように番号表示板３の表示制御回路２７及び本体部２の表示制御回路２４に指示すると共に、前進スイッチ５ａが押されると、同様に両表示制御回路２７、２４に表示番号のインクリメント（＋１）指示を行い、後退スイッチ５ｂが押されると両表示制御回路２７、２４に表示番号のデクリメント（−１）指示を行うものである。また、上記制御部２３は番号の更新後は経過時間をリセットすると共に、内臓するタイマＴからの計時信号に基づいて更新後の経過時間の表示指令を表示制御回路２４に指令する。
【００３７】
さらに、上記制御部２３は、接続コード９が外れる等して番号表示板３に対する給電が停止した後、復旧が行われた場合は、番号表示板３の表示制御回路２７から通知される番号を補助番号表示部４ａに表示するように表示制御回路２４に指示するものである。
【００３８】
２４は本体部２側の表示制御回路であり、上記制御部２３からの指令に基づいて上記番号表示板３に表示されている番号と同一の番号を補助番号表示部４ａに表示すると共に、同じく上記制御部２３からの指令に基づいて番号がデクリメント又はインクリメントされると、経過時間表示部４ｂの経過時間をリセットしてデクリメント又はインクリメントされた時点からの経過時間を同時間表示部４ｂに表示するものである。尚、上記経過時間の表示は上記制御部２３に内臓するタイマＴからの計時信号に基づいて行われる。
【００３９】
尚、２５は番号表示部１０の番号表示を所定時間間隔で自動的にデクリメント又はインクリメントしていく自動表示モードにおいて、デクリメント又はインクリメントの間隔（タイミング）を設定するためのクロック回路である。
【００４０】
上記番号表示板３は図１２に示すように、コネクターＣ３及び接続ケーブル３１を以って複数の番号表示板３を並列に接続することができる。このように構成すると、１つの本体部２によって複数の番号表示板３を使用することができる。尚、この場合、各番号表示板３に同一の番号を表示することができるし、本体部２において各番号表示板３を区別し得るようにして各々の表示板３において異なる番号を表示し得るように構成することもできる。
【００４１】
２６は番号表示板３の表示電源回路であり、上記本体部２からケーブル９を介して供給される電源を番号表示部１０等の番号表示板３の各部回路に供給するものである。
【００４２】
２７は番号表示板３の表示制御回路であり、ＣＰＵを具備しており、図１５、図１６に示す動作手順に基づいて各種動作を行うものである。この表示制御回路２７は、本体部２の制御部２３からの指令に基づいて表示部１０に番号を表示し、さらにその番号のインクリメント又はデクリメントを行うと共に、現在表示中の番号を不揮発性メモリ２８に記憶するものである。また、当該番号表示板３への給電停止後の復旧時は、上記不揮発性メモリ２８に記憶されていた番号を読み込んで、その番号を表示部１０に表示し、さらに当該番号を本体部２の制御部２３への通知を行うものである。
【００４３】
２８は番号表示部１０に表示されている番号を記憶するための不揮発性メモリであり、誤ってケーブル９が本体部２から外れて本体部２から番号表示板３への給電が停止した場合において、復旧時に不揮発性メモリ２８からの値（番号）を読み込んで、表示を継続し得るように構成している。尚、３０は電池駆動クロック回路であり、上記自動表示モードにおいて給電停止後においても、表示制御回路２７において番号の表示間隔のカウントを継続可能とするものである。
【００４４】
本発明は上述のように構成されるものであるから、以下その動作を説明する。
（１）通常モード
まず、面接会場等において当該装置１を設置する。このとき、本体部２から番号表示板３を取り外し、図５に示すように番号表示部１０を本体部２の外側を向けた状態で係合用突起２ａ，２ａと番号表示板３底面３ｃの起立用係合孔１１ｂ，１１ｂを係合し、当該表示板３を本体部２上に起立保持する。或は、番号表示板３を本体部２から分離してその係合孔３ｄ，３ｄにパネル係合用フック１２，１２を挿入係合し、当該フック１２、１２を以って当該番号表示板３を図７に示すようにパネル体Ｐに掛止する。
【００４５】
その後、本体部２の電源をオンして動作状態に設定すると、電源回路２２から本体部２各部に電源が供給されると共に、該電源回路２２から接続コード９を介して番号表示板３の表示電源回路２６にも電源が供給され、該電源回路２６から番号表示板３内の各部にも電源が供給される。
【００４６】
その後、制御部２３は予め設定されていた初期値（この場合「００」とする）を表示するように表示制御回路２４及び表示制御回路２７に指示する。すると、表示制御回路２４により本体側の補助表示部４の補助番号表示部４ａに「００」が表示されると共に（図１３Ｐ１）、番号表示板３の番号表示部１０に「００」が表示される（図１５Ｐ１）。尚、面接会場を訪れた求職者には予め「０１」から始まる番号札を順番に渡しておくものとする。このとき、操作者は面接人数に応じて前進スイッチ５ａ又は後退スイッチ５ｂを操作して表示番号を増減調整することができる。
【００４７】
面接が始まり１人目の面接者の面接が始まると、前進スイッチ５ａを１回オンすれば良い。すると、制御部２３は当該前進スイッチ５ａのオンを検出し、表示制御回路２４、２７にインクリメントの指令を出すので（図１３Ｐ２，３）、これにより本体部２の補助表示部４の補助番号表示部４ａの表示が「０１」になると共に、番号表示板３の表示制御回路２７も上記指令に基づいて番号表示部１０の表示を「０１」に更新し（図１５Ｐ２）、これにより「０１」の番号札を持つ求職者に順番が回ってきたことを知らせることができる。
【００４８】
同時に、制御部２３は表示制御回路２４に補助表示部４の経過時間表示部４ｂの経過時間をリセット及び経過時間の表示指令を行う（図１３Ｐ４、Ｐ５）。すると、表示制御回路２４により補助表示部４の経過時間表示部４ｂにはそれまでに表示されていた時間がリセットされ、「０１」を表示した時点からの経過時間が表示される。従って、面接者は番号が更新されてからの経過時間を知ることができる。よって、面接者は、例えば面接時間が「１０分」であれば１０分経過した時点で面接を終了して前進スイッチ５ａを押して表示番号をインクリメントする等の操作を容易に行うことができる。
【００４９】
次に制御部２３は電源がオフされたか否かを検出し、オフされていなければステップＰ２に戻って次のスイッチ５ａ，５ｂの操作待機状態となる（図１３Ｐ６）。
【００５０】
また、番号表示板３の表示制御回路２７は番号「０１」を表示部１０に表示した後、不揮発性メモリ２８に現在表示している番号である「０１」を記憶する（図１５Ｐ３）。これにより、番号表示板３が誤って本体部２から外れて電源の給電が停止しても、当該メモリ２８に現在の表示番号を記憶しているため、電源の復旧時に速やかに復旧前の番号を表示し得る。次に、表示制御回路２７は本体部２から前進又は後退指令の待機状態となる（図１５Ｐ４、Ｐ５）。
【００５１】
このように、通常モードでは操作者が前進スイッチ５ａをオンする度に、表示番号をインクリメントすることができ、又補助表示部４に表示番号がインクリメントされてからの経過時間が繰り返し表示されるため、面接者（操作者）においては表示番号が更新されてからの経過時間を容易に確認することができる。
【００５２】
（２）復旧モード
次に、面接会場において、何らかの原因で接続コード９が本体部２又は番号表示板３から外れて番号表示板３への給電が停止した場合の動作について説明する。
【００５３】
この場合、番号表示板３への給電が停止するため、表示部１０の番号表示は消滅し、番号が表示されない状態となる。この給電停止状態は、接続コード９を本体部２及び番号表示板３に接続することで復旧することができる。
【００５４】
かかる復旧動作後、表示制御回路２７は図１６の復旧モードの動作を実行する。即ち、表示制御回路２７は不揮発性メモリ２８に記憶されていた番号を読み込んで（図１６Ｐ１，Ｐ２）、当該番号を表示部１０に表示する（図１６Ｐ３）。これにより、電源遮断時に表示されていた番号（例えば「０５」とする）が番号表示部１０に表示される（図１６Ｐ３）。また、表示制御回路２７は表示番号「０５」を本体部２の制御部２３に通知する（図１６Ｐ４）。これにより、本体側制御部２３は表示制御回路２４に番号表示板３から通知されてきた番号である「０５」を表示するように指令する（図１４Ｐ１、Ｐ２、図１３Ｐ４以降参照）。
【００５５】
この結果、表示制御回路２４により補助番号表示部４ａには「０５」が表示される。このように、番号表示板３への給電が停止する事態が生じても、電源復旧後、何等支障なく面接を継続することができる。
【００５６】
以上のように、本発明の番号表示装置１によると、操作者の手元の補助番号表示部４ａに番号表示板３に表示される番号と同一の番号が表示されると共に、番号が更新される度に経過時間表示部４ｂに更新後の経過時間が表示されるため、極めて操作性の良い番号表示装置を実現し得るものである。
【００５７】
また、番号表示板３を本体部２から切り離してパーテーションＰ等に掛止可能であるため、各種の広さの会場に対応し得る。
【００５８】
また、バッテリー駆動であるため設置の自由度があるし、何らかの原因により番号表示板３への給電が停止しても、容易に復旧して給電停止前の番号を番号表示板３及び本体部２にて表示することができる。
【００５９】
尚、経過時間表示部４ｂにおける経過時間が予め設定した時間（例えば１０分）に近づくと、警報ブザーを鳴らすように構成しても良い。
【００６０】
上記実施形態では、面接会場において使用する例を示したが、本発明に係る番号表示装置は、これに限らず、銀行の待合室、その他各種イベント会場等、広範な用途に使用し得るものである。
【図面の簡単な説明】
【００６１】
【図１】本発明の第１実施形態の番号表示装置の斜視図である。
【図２】同上表示装置の斜視図である。
【図３】同上表示装置の番号表示板を収納する状態を示す側面図である。
【図４】同上表示装置の番号表示板を起立する状態を示す側面図である。
【図５】同上表示装置の番号表示板の起立状態の斜視図である。
【図６】同上表示装置の補助表示部を示す図である。
【図７】同上表示装置の番号表示板をパーテーションに設置する状態を示す斜視図である。
【図８】本発明の番号表示装置の第２実施形態の斜視図である。
【図９】同上表示装置の番号表示板の収納状態の斜視図である。
【図１０】同上表示装置の番号表示板の起立状態の斜視図である。
【図１１】（ａ）は番号表示板と本体部との係合関係を示す側面断面図、（ｂ）は番号表示板とパネル係合フックとの係合関係を示す側面断面図である。
【図１２】同上表示装置の電気的構成を示すブロック図である。
【図１３】同上表示装置の制御部の動作手順を示すフローチャートである。
【図１４】同上表示装置の制御部の動作手順を示すフローチャートである。
【図１５】同上表示装置の番号表示板の表示制御回路の動作手順を示すフローチャートである。
【図１６】同上表示装置の番号表示板の表示制御回路の動作手順を示すフローチャートである。
【符号の説明】
【００６２】
１    番号表示装置
２    本体部
２ａ  係合用突起
３    番号表示板
３ｄ  係合孔
４    補助表示部
４ａ  補助番号表示部
４ｂ  経過時間表示部
５ａ  前進スイッチ
５ｂ  後退スイッチ
９    接続コード
１０  番号表示部
１１  係合孔
１１ａ  収納用係合孔
１１ｂ  起立用係合孔
１２    パネル用係合フック
１２ａ  先端部
２１    バッテリー
２３    制御部
２７    表示制御回路
２８    不揮発性メモリ
【図１】
2006195828.tif 000003
【図２】
2006195828.tif 000004
【図３】
2006195828.tif 000005
【図４】
2006195828.tif 000006
【図５】
2006195828.tif 000007
【図６】
2006195828.tif 000008
【図７】
2006195828.tif 000009
【図８】
2006195828.tif 000010
【図９】
2006195828.tif 000011
【図１０】
2006195828.tif 000012
【図１１】
2006195828.tif 000013
【図１２】
2006195828.tif 000014
【図１３】
2006195828.tif 000015
【図１４】
2006195828.tif 000016
【図１５】
2006195828.tif 000017
【図１６】
2006195828.tif 000018